(57)【特許請求の範囲】
【請求項１】
ひさし片が紫外線遮蔽性と通気性を有する生地よりなる芯材の表裏面に同じく紫外線遮蔽性と通気性を有する生地よりなる外覆材を被覆したことによって形成されていて、前記芯材は同一大きさの透し目を有する２枚のネット編地を透し目を平面方向にずらして重ね合わせてなり、前記外覆材は前記芯材のネット編地の透し目よりも小さい透し目を有するレース編地からなることを特徴とする帽子。
【発明の詳細な説明】
【０００１】
【発明の属する技術分野】
本発明は日差しの強い屋外において、紫外線から目や肌を保護するために着用する帽子の改良に関するものである。
【０００２】
【従来の技術】
外出時や屋外でスポーツを行ったり見物する場合等においては、太陽光線の強い日差しから目を保護するために、さらには紫外線による日焼けにより肌を傷めるのを防止する目的でひさし片にバンドを取付けてなるサンバイザーと称される帽子を着用する場合があるが、従来のこの種の帽子は、そのひさし片を着色透明の軟質合成樹脂板等からなる透視可能な薄板によって形成してなるものや、厚手の織地によって形成してなるものが一般的である。
【０００３】
【発明が解決しようとする課題】
しかしながら、着色透明の軟質合成樹脂板等からなる薄板によってひさし片を形成してなる帽子によれば、ひさし片が何らかの外力によって折れ曲がるとその折目を解消することができず、折損した形態を維持することになって外観を損し、体裁が悪くなるという問題点があり、その上、着色したひさし片を透視して外界を見るものであるから、色彩の見分けが困難となるばかりでなく違和感が生じるという問題点があった。
【０００４】
一方、後者の織地よりなる帽子の場合には、折り曲げても折目がつき難いために不使用時には二つ折り状にして手軽に携行し得るというメリットを有するが、織地は透視性が極めて悪いために視野が狭くなるとう問題点がある。また、上記いずれの帽子においても通気性がないために、風圧を全面的に受けて妄動したり、脱落することがあり、特に、テニスやゴルフ等のスポーツを行っている場合には、強風でなくても機敏な動作を行う毎に帽子が風に煽られ、頭部にその抵抗が感じられて軽快な動作の妨げとなると共に頭部から容易に離脱するという問題点があった。
【０００５】
本発明はこのような問題点に鑑みてなされたもので、その目的とするところは、軽量にして且つ通気性（通風性）並びに透視性を備えていると共に通気性を有しているにもかゝわらず、９０％以上の紫外線遮蔽率を有する帽子を提供するにある。
【０００６】
【課題を解決するための手段】
上記目的を達成するために本発明の帽子は、ひさし片が紫外線遮蔽性と通気性を有する生地よりなる芯材の表裏面に同じく紫外線遮蔽性と通気性を有する生地よりなる外覆材を被覆したことによって形成されていて、前記芯材は同一大きさの透し目を有する２枚のネット編地を透し目を平面方向にずらして重ね合わせてなり、前記外覆材は前記芯材のネット編地の透し目よりも小さい透し目を有するレース編地からなることを特徴とする構成を採用した。
【０００９】
【作用】
太陽光線中の紫外線はひさし片を形成している生地の表面で反射して殆ど透過することはなく、従って、紫外線が当たることによって生じる肌や目の傷みを防止し得る。また、通気性を備えていることによってひさし片に流突する風を該通気部から通過させ、ひさし片が風圧で煽られることにより生じる抵抗感が著しく低減すると共に脱落する虞れもない。その上、通気部から外界を透視可能となってひさし片が広くても充分な視野を確保することができる。
【００１０】
上記ひさし片を構成する生地としては、ひさし片の芯材をネット編地により、該芯材の表裏面を被覆する外覆材をレース編地により夫々形成しておくことが望ましく、この場合、透し目の大きさが等しい２枚のネット編地を互いにその透し目をずらした状態で重合することにより芯材を形成し、このネット編地の透し目よりも小さい透し目を有するレース編地を外覆材とする。
【００１１】
このように帽子のひさし片を構成すると、ネット編地の透し目を形成した糸条が互いに一方のネット編地の透し目の一部を遮蔽するように重なり合うと共に透し目の小さいレース編地もその透し目を形成する糸条と上記両ネット編地の透し目を形成する糸条とが互いの透し目を遮蔽し合うように重なり合い、ひさし片を平面から見た場合、ネット編地とレース編地との糸条でひさし片の大半が占有され、紫外線が表面外覆材側のレース編地の透し目を通過してもその大半が芯材を形成するネット編地の糸条や裏面外覆材を形成しているレース編地の糸条によって裏面側まで通過するのを遮断されることになる。
【００１２】
一方、ひさし片の面に対して垂直方向に重なりあったこれらの編地の透し目においては、上述したように互いに他の透し目を形成している糸条によって大部分が遮蔽されているが、一部がひさし片を表裏面間に垂直に貫通する小さな透孔を形成している。この透孔がひさし片全体に略均一に多数、散在し、これらの透孔が通気孔となってひさし片に流突する風を通過させ、抵抗感を著しく低減させると共に帽子が妄動したり脱落するのを防止し、さらに、透孔を通じて外界を透視することができるものである。
【００１３】
ひさし片は、その全表面積に対する上記透孔が占める割合を２０％以下、好ましくは１０％以下にしておくことにより、紫外線遮蔽率が８０％以上、好ましくは９０％以上となるように形成されてあり、このような透孔の占有率はひさし片の芯材を形成しているネット編地や表裏外覆材を形成しているレース編地の透し目の大きさや該透し目を形成する糸条の太さ等によって所望の率に設定することができるものである。
【００１４】
また、ネット編地とレース編地とからなるひさし片は軽量であり、且つ折り曲げても折目が殆ど残らないために携行が容易となるばかりでなく、体裁よく着用し得る上に高級感のイメージを与えることができる。
【００１５】
【発明の実施の形態】
次に、本発明の具体的な実施の形態を図面について説明する。図１において、帽子Ａはひさし片１と、このひさし片１の後端湾曲縁に下端を縫着している細幅帯状の当て片２と、この当て片２の両側端部間に連結しているゴムバンドよりなる伸縮性バンド３とからなり、当て片２と伸縮性バンド３によって頭部に密着させる環状バンド部を形成している。また、上記ひさし片１の前端湾曲縁と当て片２の上端縁に縁取片４、５をそれぞれ縫着している。
【００１６】
ひさし片１はその前端湾曲縁を大径の円弧状縁に、後端湾曲縁を小径の円弧状縁に形成して頭部の額をカバーするひさし部分を幅広く、耳側に到る両側部を徐々に幅狭くなった平面三日月状形状に形成しているが、前端湾曲縁は必ずしも円弧状に形成することはなく、例えば等脚台形状縁に形成しておいてもよい。
【００１７】
このひさし片１は図２に示すように、ひさし片１と同一平面形状に裁断された２枚のネット編の生地（以下、ネット編地とする）からなる芯材１Ａ、１Ｂと、同じくひさし片１と同一平面形状に裁断されたレース編の生地（以下、レース編地とする）からなる表裏外覆材１Ｃ、１Ｄとからなり、２枚の芯材１Ａ、１Ｂを互いにその同一大きさを有する透し目１ａ、１ｂを平面方向にずらした状態で重ね合わせると共に上側芯材１Ａの上面に表面側外覆材１Ｃを、下側芯材１Ｂの下面に裏面側外覆材１Ｄをそれぞれ重ねてこれらの芯材１Ａ、１Ｂと表裏外覆材１Ｃ、１Ｄとの前後湾曲縁を上記縁取片４、５によって一体的に縫着することにより形成されている。
【００１８】
芯材１Ａ、１Ｂを形成しているネット編地は図３に示すように、ナイロンや塩化ビニル、ポリエチレン、ポリプロピレン等の合成樹脂製糸条１１によって透し目１ａ、１ｂの大きさが２〜３ｍｍ角となるように編成されてなり、表裏外覆材１Ｃ、１Ｄを形成しているレース編地としては、上記糸条１１よりも細いナイロンや塩化ビニル、ポリエチレン、ポリプロピレン等の合成樹脂製糸条１２によって上記ネット編地の透し目１ａ、１ｂよりも小さいの透し目１ｃ、１ｄを形成してなるチュールレース編地を用いている。なお、表裏外覆材１Ｃ、１Ｄはチュールレース編地に限定されることなくその他のレース編地から形成しておいてもよい。いずれにしても、上記ネット編地とレース編地とにおいて、少なくともネット編地は屈曲に対して弾性復元力を有すると共に保形性と柔軟性を備えている。
【００１９】
表面側外覆材１Ｃと裏面側外覆材１Ｄを形成しているレース編地の透し目１ｃ、１ｄの大きさは同じであっても異なっていてもよいが、上記芯材１Ａ、１Ｂを形成しているネット編地の透し目１ａ、１ｂを形成した周囲糸条部の太さの３〜５倍程度の大きさに設定して芯材１Ａ、１Ｂの透し目１ａ、１ｂの大きさと相まって後述するようにひさし片１の紫外線遮蔽率が８０％以上、好ましくは９０％以上になるようにしている。
【００２０】
上記のように、ネット編地からなる２枚の芯材１Ａ、１Ｂを互いにその透し目１ａ、１ｂを平面方向にずらした状態で重ね合わせると、図４に示すように、一方の芯材１Ａの透し目１ａの一部が他方の芯材１Ｂの透し目１ｂを形成している糸条１１によって遮蔽されて表裏面間に貫通する該透し目１ａの透孔面積が小さくなり、同様に、他方の芯材１Ｂの透し目１ｂの一部が一方の芯材１Ａの透し目１ａを形成している糸条１１によって遮蔽されて表裏面間に貫通する該透し目１ｂの透孔面積が小さくなる。さらに、これらの芯材１Ａ、１Ｂの表裏面に、該芯材１Ａ、１Ｂの透し目１ａ、１ｂよりも細かい透し目１ｃ、１ｄを有するレース編地からなる外覆材１Ｃ、１Ｄを重ね合わせているので、芯材１Ａ、１Ｂの透し目１ａ、１ｂに外覆材１Ｃ、１Ｄの透し目１ｃ、１ｄを形成している糸条１２、１２が重なり合って透し目１ａ、１ｂの上記透孔面積が更に狭められると共に外覆材１Ｃ、１Ｄの透し目１ｃ、１ｄが芯材１Ａ、１Ｂの透し目１ａ、１ｂを形成している太い糸条部によって大部分が遮蔽された状態となる。
【００２１】
そして、重なり合った芯材１Ａ、１Ｂの透し目１ａ、１ｂと外覆材１Ｃ、１Ｄの透し目１ｃ、１ｄとを形成している糸条１１、１２により遮蔽されることなくこれらの糸条１１、１２間の隙間を通じてひさし片１の表裏面間に垂直方向に貫通する透孔６がひさし片１に全面的に略均一に散在した状態で形成され、これらの透孔６によってひさし片に通気性（通風性）を発揮させるように構成している。なお、これらの全ての透孔６が占めるひさし片１の透孔面積と上記糸条１１、１２によって遮蔽されるひさし片１の遮蔽面積とは、透し目１ａ〜１ｄの大きさや糸条１１、１２の太さによって異なるが、本発明においては全透孔面積を２０％以下、好ましくは１０％以下にしてひさし片１による紫外線遮蔽率を８０％以上、好ましくは９０％〜９５％となるように形成している。
【００２２】
このように形成した帽子Ａを着用すると、太陽光線中の紫外線の大半が帽子Ａを通過することなくこの帽子Ａによって遮断されると共に帽子Ａに全面的に略均一に散在している多数の小さな透孔６を通じて外界を透視し得るものであり、さらに、風が透孔６を直通したりさらにはネット編地からなる芯材１Ａ、１Ｂの透し目１ａ、１ｂやレース編地からなる表裏外覆材１Ｃ、１Ｄの透し目１ｃ、１ｄを斜め方向に通過し、風圧により帽子Ａが煽られて妄動したり脱落する虞れはなく、安定した着用が可能となる。
【００２３】
なお、以上の実施例においては、帽子Ａのひさし片１の芯材１Ａ、１Ｂとしては、ネット編の生地から形成したが、厚手のレース編地や織目を有する織布、或いは柔軟な多孔性合成樹脂板材等によって形成しておいてもよい。同様に、ひさし片１の外覆材１Ｃ、１Ｄも織目を有する織布や柔軟な多孔性合成樹脂板材などによって形成してもよい。また、本発明は図５に示すようにクラウンを有する通常の帽子のひさし片１に上記構造を採用してもよい。
【００２４】
【発明の効果】
以上のように本発明の帽子によれば、ひさし片を紫外線遮蔽性と通気性及び柔軟性を有する生地よりなる芯材の表裏面に同じく紫外線遮蔽性と通気性を有する生地よりなる外覆材を被覆することによって形成しているので、不使用時には二つ折り等によってコンパクトにして携行等が可能となるのは勿論、使用時には太陽光線中の紫外線の殆どを遮蔽して肌や目の傷みを防止し得ると共に通気性を備えていることによってひさし片が風で煽られて脱落するのを極力防止することができ、さらに、通気部から外界を透視することができて充分な視野を確保することができる。
【００２５】
また、上記帽子において、請求項２に係る発明は上記ひさし片を構成する生地として、ひさし片の芯材をネット編地より形成し、この芯材の表裏面を被覆する外覆材をレース編地より形成していることを特徴としており、このように形成したひさし片において、請求項３に係る発明は、透し目の大きさが等しい２枚のネット編地を互いにその透し目をずらした状態で重ね合わせることにより芯材を形成し、このネット編地の透し目よりも小さい透し目を有するレース編地を外覆材としているので、ネット編地の透し目を形成した糸条が互いに一方のネット編地の透し目の一部を遮蔽するように重なり合うと共に透し目の小さいレース編地もその透し目を形成する糸条と上記両ネット編地の透し目を形成する糸条とが互いの透し目を遮蔽し合うように重なり合い、従って、ひさし片を平面から見た場合にネット編地とレース編地との糸条によってひさし片の面積の大半を占有した構造に形成することができ、紫外線の大半を効果的に遮蔽することができるものである。
【００２６】
その上、重なり合ったネット編地の透し目とレース編地の透し目とを形成している糸条間の隙間を通じてひさし片の表裏面間に垂直方向に貫通する小さな透孔をひさし片に全面的に略均一に散在した状態で形成することができ、これらの透孔が通気孔となってひさし部に流突する風を円滑に通過させることができるものであり、従って、帽子が妄動したり脱落するのを確実に防止し得ると共に帽子を着用している額部に抵抗感を与えることなく、むしろ殆ど着用していない軽量感を与えることができる。
【００２７】
さらに、ひさし片に全面的に略均一に散在した上記透孔を通じて、ひさし片が大きくても外界を広い視野でもって透視することができ、スポーツを行う際においても軽快な動作を行うことができる。また、ひさし片の全体に対する全ての透孔の占める面積と編地を形成した糸条によって占める面積とを編地の透し目の大きさや糸条の太さによって容易に設定でき、本発明の目的とする紫外線遮蔽率が８０％以上、好ましくは９０％以上の帽子を提供することができるものである。
【００２８】
また、ひさし片の表裏外覆材をレース編地によって形成しているので、外観が優美で高級感を付与することができ、しかも、ネット編地とレース編地とからなるひさし片は軽量であり、且つ折り曲げても折目が殆ど残らないために携行や保管が容易となるものである。
【図面の簡単な説明】
【図１】本発明の帽子の一部切欠斜視図、
【図２】そのひさし片の簡略分解斜視図、
【図３】ひさし片を形成したネット編地とレース編地の一部の斜視図、
【図４】ネット編地とレース編地との透し目の重合状態を示す簡略拡大断面図、
【図５】帽子に適用した場合の斜視図。
【符号の説明】
Ａ  帽子
１  ひさし片
１Ａ、１Ｂ  芯材
１Ｃ、１Ｄ  外覆材
１ａ〜１ｄ  透し目
３  伸縮バンド
６  透孔
【図１】
0003604074.tif 000002
【図２】
0003604074.tif 000003
【図３】
0003604074.tif 000004
【図４】
0003604074.tif 000005
【図５】
0003604074.tif 000006